(57)【要約】【課題】装着時の、使用者の頭部に当接する当接部の角度によって表示部の位置や姿勢が左右されにくく、調整も容易なヘッドマウントディスプレイを提供する。【解決手段】２つのヘッドホーンハウジング１は、連結部２により連結されている。そして、一つのヘッドホーンハウジング１には、ディスプレイアーム支持部３が設けられ、ディスプレイアーム支持部３にディスプレイアーム４が装着時の前後方向にスライド可能に保持されている。又、ディスプレイアーム４は、ディスプレイアーム支持部３が、ヘッドホーンハウジング１に対して回動（チルト）することにより、図に示す矢印のように回動が可能とされている。ディスプレイアーム４の先端部は、使用時に使用者の顔面と平行になるように曲げられており、その先端部に、映像を使用者の眼に表示する表示部５が設けられている。【選択図】  図１
2007251308.tif 000002
【特許請求の範囲】
【請求項１】
使用者の頭部に互いに異なる位置で当接する２つの当接部と、前記２つの当接部を連結する連結部と、前記使用者の眼に映像を表示する表示部と、前記表示部を保持し、一部が前記当接部の外界側に位置する外装部に保持されたディスプレイアームとを有し、前記ディスプレイアームは、前記当接部に対して、装着時の前後方向を中心軸とする回動が可能なように取り付けられていることを特徴とするヘッドマウントディスプレイ。
【請求項２】
請求項１に記載のヘッドマウントディスプレイであって、前記ディスプレイアームの前記当接部に対する前記回動を停止する回動停止機構が設けられていることを特徴とするヘッドマウントディスプレイ。
【請求項３】
請求項１に記載のヘッドマウントディスプレイであって、前記ディスプレイアームの前記当接部に対する前記回動が、接触抵抗により制限されていることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１号公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。
【特許文献１】ＷＯ２００４／０６１５１９Ａ１号公報
【発明の開示】
【発明が解決しようとする課題】
【０００４】
従来の片眼用ヘッドマウントディスプレイは、ヘッドホーンに設けられた２つのスピーカー部と、その２つのスピーカー部を収容する２つのヘッドホーンハウジングを連結部で連結すると共に、このヘッドホーンハウジングの一方にディスプレイアームを取り付け、ディスプレイアームの先端部に表示部を設けていた。
【０００５】
そのため、ヘッドマウントディスプレイを頭部に装着するとき、装着者の顔や耳の形状によって、ヘッドホーンハウジングの角度が決まってしまい、それにつれてディスプレイアームの方向や表示部の位置、姿勢が左右されるという問題があった。そして、使用中においても、ヘッドホーンと耳との接触状態が変わると、表示部の位置や姿勢が変わり、その再調整が面倒であるという問題点があった。
【０００６】
本発明はこのような事情に鑑みてなされたものであり、装着時の使用者の頭部に当接する当接部の角度によって表示部の位置や姿勢が左右されにくく、調整も容易なヘッドマウントディスプレイを提供することを課題とする。
【課題を解決するための手段】
【０００７】
前記課題を解決するための第１の手段は、使用者の頭部に互いに異なる位置で当接する２つの当接部と、前記２つの当接部を連結する連結部と、前記使用者の眼に映像を表示する表示部と、前記表示部を保持し、一部が前記当接部の外界側に位置する外装部に保持されたディスプレイアームとを有し、前記ディスプレイアームは、前記当接部に対して、装着時の前後方向を中心軸とする回動が可能なように取り付けられていることを特徴とするヘッドマウントディスプレイである。
【０００８】
本手段においては、ディスプレイアームが、使用者の頭部に当接する当接部に対して、装着時の前後方向を中心軸として回動が可能なように保持されているので、当接部が使用者の耳や頭の角度にフィットするために角度が変わっても、ディスプレイアームをヘッドホーンハウジングに対して回動させることにより、ディスプレイアームや表示部の位置や姿勢への影響を少なくでき、又、調整も容易となる。
【０００９】
前記課題を解決するための第２の手段は、前記第１の手段であって、前記ディスプレイアームの前記当接部に対する前記回動を停止する回動停止機構が設けられていることを特徴とするものである。
【００１０】
本手段においては、ディスプレイアームの回動を停止する回動停止機構が設けられているので、調整が終わった後で、この回動停止機構を働かせれば、当接部とディスプレイアーム、表示部との位置関係を固定することができ、使用中にこれらの位置関係がずれることを防止できる。
【００１１】
前記課題を解決するための第３の手段は、前記第１の手段であって、前記ディスプレイアームの前記当接部に対する前記回動が、接触抵抗により制限されていることを特徴とするものである。
【００１２】
本手段も基本的な作用は前記第２の手段と同じであるが、回動停止機構を持たず、その代わりに、ディスプレイアームの回動が、接触抵抗により制限するようにしている。則ち、接触抵抗により、ある程度の力を加えなければ回動が起こらないようにしておけば、使用中に、当接部とディスプレイアーム、表示部との位置関係をずれにくくすることができる。
【００１３】
なお、本発明の当接部は、、装着時に使用者の頭部と接触する部分である。例えば、ヘッドホーンタイプの装着部を採用しているのであれば、使用者の耳と接触するスピーカー部である。又、この場合、当接部の外界側に位置する外装部は、スピーカー部を収容するヘッドホーンハウジングとなる。なお、当接部が３箇所以上あるヘッドマウントディスプレイもあるが、本発明はこのようなものをも含むものである。
【発明の効果】
【００１４】
本発明によれば、装着時の使用者の頭部に当接する当接部の角度によって表示部の位置や姿勢が左右されにくく、調整も容易なヘッドマウントディスプレイを提供することができる。
【発明を実施するための最良の形態】
【００１５】
以下、本発明の実施の形態の例を、図を用いて説明する。図１は、本発明の実施の形態の１例であるヘッドマウントディスプレイを装着した状態を示す図である。２つのヘッドホーンハウジング１は、連結部２により連結されている。そして、一つのヘッドホーンハウジング１には、ディスプレイアーム支持部３が設けられ、ディスプレイアーム支持部３にディスプレイアーム４が装着時の前後方向にスライド可能に保持されている。
【００１６】
又、ディスプレイアーム４は、ディスプレイアーム支持部３が、ヘッドホーンハウジング１に対して回動（チルト）することにより、図に示す矢印のように回動が可能とされている。ディスプレイアーム４の先端部は、使用時に使用者の顔面に、ほぼ沿うような形に曲げられており、その先端部に、映像を使用者の眼に表示する表示部５が設けられている。なお、３ｂは後に示すロックボタンである。
【００１７】
図２は、ディスプレイアーム支持部３がヘッドホーンハウジング１に取り付けられている様子を示す断面図である。ヘッドホーンハウジング１には円筒座１ａが設けられており、この円筒座１ａにディスプレイアーム支持部３の円筒軸受３ａが嵌合している。
【００１８】
図３は、図２のＡ−Ａ’断面図であり、図２の右手方向から見たときの図である。チルト調整部材１ｂには、図３における左右方向に延設部１ｃが設けられている。そして、円筒軸受３ａの中央部には、開口部を有している。この開口部を通して、、円筒座１ａを直視できる。チルト調整部材１ｂは、円筒座１ａの一部を貫通するように、円筒座１ａから突出して配置されている。このチルト調整部材１ｂに設けられた延設部１ｃは、円筒軸受３ａの内壁と当接している。それ故、延設部１ｃと円筒座１ａにより円筒軸受３ａの一部を挟持している。これにより、ディスプレイアーム支持部３をヘッドホーンハウジング１に、円筒面に沿って摺動可能なように固定している。チルト調整部１ｂの先端部は、円筒の外周の形状をしており、その表面には三角状の凹凸が設けられている。
【００１９】
ディスプレイアーム支持部３には、ロックボタン３ｂが設けられ、２つのロックボタン３ｂに挟まれてロック板３ｃが設けられている。ロック板３ｃは弾性を有し、ロックボタン３ｂを両側から押し込むと、撓んでチルト調整部１ｂの表面から離れ、ロックボタン３ｂに力を加えない状態では伸びてチルト調整部１ｂに接触するようになっている。ロック板３ｃのチルト調整部１ｂと接触する面にも三角状の凹凸が設けられ、ロック板３ｃとチルト調整部１ｂが接触すると互いの凹凸が噛み合い。これにより、ディスプレイアーム支持部３のヘッドホーンハウジング１に対する回動が停止されるようになっている。ロックボタンが押し込まれ、ロック板３ｃとチルト調整部１ｂが離れると、この噛み合いが外れ、ディスプレイアーム支持部３がヘッドホーンハウジング１に対して回動可能となる。
【００２０】
ディスプレイアーム支持部３には長方形の穴が刳りぬかれ、これにディスプレイアーム４が嵌り込んで、図２の紙面に垂直な方向に摺動可能となっている。ヘッドホーンハウジング１には、ヘッドホーンドライバ６が設けられ、ヘッドホーンドライバ６への配線７が円筒座１ａ中を通っている。
【００２１】
図３は、このヘッドマウントディスプレイを装着して、表示部５の位置調整を行っている様子を示す図である。顔の小さい人がヘッドマウントディスプレイを装着した場合、図に示すように、ヘッドホーンハウジング１の方向が上広がりとなり、その結果、表示部５の位置が眼の上部に来てしまう。これに対し、前述の機構により、ディスプレイアーム支持部３をヘッドホーンハウジング１に対して、矢印のように回動させ、ディスプレイアーム４と表示部５の水平出しを行う。これにより、表示部５を眼の前に位置させることができる。
【００２２】
なお、図１、図２に示した回動停止機構は必ずしも必要ない。その場合でも、ディスプレイアーム支持部３をヘッドホーンハウジング１に対して回動させることにより表示部５の位置の調整を行うことができる。又、図１、図２に示した回動停止機構を設けず、ディスプレイアーム支持部３のヘッドホーンハウジング１に対する回動が摩擦抵抗により制限されるようにしてもよい。例えば、図２におけるチルト調整部１ｂの表面を、噛み合うような凹凸が無く摩擦の大きいものとし、かつ、ロック板３ｃのチルト調整部１ｂと接触する面も噛み合うような凹凸が無く摩擦の大きいものとし、ロックボタン３ｂを設けないでおけば、ロック板３ｃとチルト調整部１ｂの摩擦により、ある程度の力を加えなければディスプレイアーム支持部３がヘッドホーンハウジング１に対して回動しないようにすることができる。
【００２３】
なお、本実施の形態のヘッドマウントディスプレイは、ヘッドホーンのヘッドホーンハウジングにディスプレイアーム支持部３を設けた構成であるが、本発明は、ヘッドホーンを装着部材としたものだけに限られず、例えばスピーカー等の音声出力部を有しない方式のヘッドマウントディスプレイにも適用が可能である。その際には、頭部装着部材として、装着時に頭部と接触する当接部の外界側に設けられた外装部に、上述のディスプレイアーム支持部３を設ける。なお、頭部と接触する当接部の外界側にある外装部にディスプレイアーム支持部３を設けることで、ヘッドマウントディスプレイ４に振動が与えられても、ディスプレイアーム４が支持されている部分が頭部と密着しているので、すぐに振動が収束するという効果を有する。
【図面の簡単な説明】
【００２４】
【図１】本発明の実施の形態の１例であるヘッドマウントディスプレイを装着した状態を示す図である。
【図２】ディスプレイアーム支持部がヘッドホーンハウジングに取り付けられている様子を示す断面図である。
【図３】図２におけるＡ−Ａ’断面図である。
【図４】ヘッドマウントディスプレイを装着して、表示部の位置調整を行っている様子を示す図である。
【符号の説明】
【００２５】
１…ヘッドホーンハウジング、１ａ…円筒座、１ｂ…チルト調整部、１ｃ…延設部、２…連結部、３…ディスプレイアーム支持部、３ａ…円筒軸受、３ｂ…ロックボタン、３ｃ…ロック板、４…ディスプレイアーム、５…表示部、６…ヘッドホーンドライバ、７…配線
【図１】
2007251308.tif 000003
【図２】
2007251308.tif 000004
【図３】
2007251308.tif 000005
【図４】
2007251308.tif 000006